(57)【要約】【課題】光学補償素子の取付姿勢の微調整が容易な補償素子調整機構、およびプロジェクタを提供すること。【解決手段】補償素子調整機構は、液晶パネル２５ｂと偏光板２５ｆとの間に配置される光学補償素子１０と、光学補償素子１０を支持して一対の軸部材３１ｂ，３１ｃを有する第１フレーム３１と、軸部材３１ｂ，３１ｃを回動自在に支持する第２フレーム３２と、液晶パネル２５ｂ側に固定されて、第２フレーム３２を回動自在に支持する支持ホルダ３３と、軸部材３１ｂ，３１ｃの回動による変位を弾性的な当接により制限する固定部と、第２フレーム３２を支持ホルダ３３と係合して第２フレーム３２を回動自在にする係合部と、第２フレーム３２を支持ホルダ３３に支持して第２フレーム３２の回動による変位を弾性的な当接により制限する支持部と、を備えている。【選択図】図５
2009169046.tif 000002
【特許請求の範囲】
【請求項１】
液晶パネルと偏光板との間に配置される光学補償素子と、
前記光学補償素子を支持すると共に、当該光学補償素子の周囲の対向する位置に設けられる一対の軸部材を有する第１フレームと、
前記第１フレームの前記一対の軸部材を回動自在に支持する第２フレームと、
前記液晶パネル側に固定されると共に、前記第２フレームを回動自在に支持する支持ホルダと、
前記一対の軸部材の回動による変位を弾性的な当接により制限する固定部と、
前記第２フレームを前記支持ホルダと係合して前記第２フレームを回動自在にする係合部と、
前記第２フレームを前記支持ホルダに支持すると共に、前記第２フレームの回動による変位を弾性的な当接により制限する支持部と、を備えていることを特徴とする補償素子調整機構。
【請求項２】
請求項１に記載の補償素子調整機構であって、
前記係合部は、前記第２フレームに第１係合部と、前記支持ホルダに第２係合部と、を有し、
前記第１係合部と前記第２係合部との係合により、前記第２フレームを前記支持ホルダに対して回動自在にすることを特徴とする補償素子調整機構。
【請求項３】
請求項２に記載の補償素子調整機構であって、
前記第１係合部および前記第２係合部のうち、一方の係合部は、突起部を有し、他方の係合部は、回動中心と略同心状に形成される凹部を有し、前記突起部は前記凹部と係合して摺動することを特徴とする補償素子調整機構。
【請求項４】
請求項１〜請求項３のいずれか一項に記載の補償素子調整機構であって、
前記支持部は、前記第２フレームまたは前記支持ホルダを摩擦力で係止することにより、前記支持ホルダに対する前記第２フレームの回動による変位量の微調整を許容することを特徴とする補償素子調整機構。
【請求項５】
請求項４に記載の補償素子調整機構であって、
前記支持部は、前記第２フレームに第１支持部と、前記支持ホルダに第２支持部と、を有し、
前記第１支持部と前記第２支持部とにより、前記第２フレームを前記支持ホルダに支持すると共に、前記第２フレームの回動に従動して摺動することを特徴とする補償素子調整機構。
【請求項６】
請求項５に記載の補償素子調整機構であって、
前記第１支持部は、前記第２支持部を挟持して支持するバネ部を有していることを特徴とする補償素子調整機構。
【請求項７】
請求項１〜請求項６のいずれか一項に記載の補償素子調整機構であって、
前記第１フレームは、前記第２フレームに対して回動させる第１操作部を有していることを特徴とする補償素子調整機構。
【請求項８】
請求項１〜請求項７のいずれか一項に記載の補償素子調整機構であって、
前記第２フレームは、前記支持ホルダに対して回動させる第２操作部を有していることを特徴とする補償素子調整機構。
【請求項９】
請求項１〜請求項８のいずれか一項に記載の補償素子調整機構であって、
前記固定部は、前記第１フレームまたは前記第２フレームを摩擦力で係止することにより、前記第２フレームに対する前記第１フレームの回動による変位量の微調整を許容することを特徴とする補償素子調整機構。
【請求項１０】
請求項９に記載の補償素子調整機構であって、
前記固定部は、前記第１フレームに第１固定部と、前記第２フレームに第２固定部と、を有し、
前記第１固定部と前記第２固定部との弾性的な係止により、前記第２フレームに対する前記第１フレームの変位を制限することを特徴とする補償素子調整機構。
【請求項１１】
請求項１０に記載の補償素子調整機構であって、
前記第１固定部または前記第２固定部は、前記弾性的な係止を行なうバネ部を有していることを特徴とする補償素子調整機構。
【請求項１２】
請求項１〜請求項１１のいずれか一項に記載の補償素子調整機構と、
発光により光束を射出する光源装置と、
前記光源装置から射出された前記光束を画像情報に応じて変調して光学像を形成する前記液晶パネルを有する光変調装置と、
前記光変調装置で形成された前記光学像を投写する投写光学装置と、を備えていることを特徴とするプロジェクタ。
【発明の詳細な説明】
【技術分野】
【０００１】
本発明は、液晶パネルの光学補償のための補償素子調整機構、および補償素子調整機構を組み込んだプロジェクタに関する。
【背景技術】
【０００２】
従来、プロジェクタに組み込まれる光学像形成用の光学装置では、特許文献１に開示されるように、液晶パネルの入射側や射出側に光学補償シートを配置している。そして、光学補償シートの取付姿勢を調整するため、光学補償シートを光軸のまわりに回動させたり、光軸に直交する回転軸のまわりに回動させたりすることができるホルダが用いられている。そして、例えば、光学補償シートを枠体と共に光軸に直交する回転軸のまわりに回動させる場合、枠体に設けた一対の軸部を固定部材に突設した一対の枢支部により枢支し、調整後は枠体を固定部材に対してビス止めしている。
【０００３】
【特許文献１】特開２００７−７８７３５号公報
【発明の開示】
【発明が解決しようとする課題】
【０００４】
しかし、上記のようなホルダでは、光学補償シート（光学補償素子）の取付姿勢の微調整が容易ではない。つまり、枠体の姿勢を調節した後にビス止めする作業が不可欠であり、枠体の調整後にビスで固定する際に、枠体の姿勢が再度変化し易く、光学補償シート（光学補償素子）の取付姿勢の精密な調整と、その後の固定が容易ではないという課題がある。
【課題を解決するための手段】
【０００５】
本発明は、上述した課題の少なくとも一部を解決するためになされたものであり、以下の形態または適用例として実現することが可能である。
【０００６】
（適用例１）本適用例に係る補償素子調整機構は、（ａ）液晶パネルと偏光板との間に配置される光学補償素子と、（ｂ）光学補償素子を支持すると共に、光学補償素子の周囲の対向する位置に設けられる一対の軸部材を有する第１フレームと、（ｃ）第１フレームの一対の軸部材を回動自在に支持する第２フレームと、（ｄ）液晶パネル側に固定されると共に、第２フレームを回動自在に支持する支持ホルダと、（ｅ）一対の軸部材の回動による変位を弾性的な当接により制限する固定部と、（ｆ）第２フレームを支持ホルダと係合して第２フレームを回動自在にする係合部と、（ｇ）第２フレームを支持ホルダに支持すると共に、第２フレームの回動による変位を弾性的な当接により制限する支持部と、を備えていることを特徴とする。
【０００７】
上記補償素子調整機構では、光学補償素子を支持する第１フレームが、光学補償素子の周囲において対向する位置に設けられている一対の軸部材を有し、第２フレームが、一対の軸部材を回動自在に支持することで、液晶パネルに対して第１フレームすなわち光学補償素子の取付姿勢を調整することができる。従って、例えば液晶パネルに対して光軸が設定された場合に、光軸に直交する回転軸のまわりに回動させる場合の光学補償素子の取付姿勢を調整することができる。この際、固定部が、第２フレームに対する一対の軸部材の回動による変位を弾性的な当接により制限するため、光学補償素子の姿勢を第１フレームと共に所望な量だけ変化させてそのまま保持することができ、光学補償素子の取付姿勢の精密な調整と調整後の簡易な固定とが可能になる。また、係合部により、第２フレームを支持ホルダと係合して第２フレームを回動自在にすることで、液晶パネルに対して第２フレームすなわち光学補償素子の取付姿勢を調整することができる。従って、例えば液晶パネルに対して光軸が設定された場合に、光軸のまわりに回動させる場合の光学補償素子の取付姿勢を調整することができる。この際、支持部が、第２フレームを支持ホルダに支持すると共に、第２フレームの回動による変位を弾性的な当接により制限するため、光学補償素子の姿勢を第２フレームと共に所望な量だけ変化させてそのまま保持することができ、光学補償素子の取付姿勢の精密な調整と調整後の簡易な固定とが可能になる。従って、補償素子調整機構は、例えば光軸に直交する回転軸のまわりに回動させる場合の光学補償素子の取付姿勢を調整することができると共に、例えば光軸のまわりに回動させる場合の光学補償素子の取付姿勢も調整することができ、光学補償素子の取付姿勢の精密な調整と調整後の簡易な固定とが可能になる。
【０００８】
（適用例２）上記の補償素子調整機構であって、係合部は、第２フレームに第１係合部と、支持ホルダに第２係合部と、を有し、第１係合部と第２係合部との係合により、第２フレームを支持ホルダに対して回動自在にすることが好ましい。この場合、第１係合部と第２係合部とが係合することにより、第２フレームを支持ホルダに対して回動させて第２フレームの姿勢調整を行なうことができる。例えば光軸のまわりに回動させる場合の光学補償素子の姿勢調整が可能になる。
【０００９】
（適用例３）上記の補償素子調整機構であって、第１係合部および第２係合部のうち、一方の係合部は、突起部を有し、他方の係合部は、回動中心と略同心状に形成される凹部を有し、突起部は凹部と係合して摺動することが好ましい。この場合、突起部は回動中心と略同心状に形成される凹部と係合して摺動することにより、突起部は、回動中心と略同心状に摺動するため、第２フレームを支持ホルダに対して回動中心と略同心状に回動させて第２フレームの姿勢調整を行なうことができる。例えば回動中心を光軸と一致させた場合、光軸に対して略同心状に回動させて光学補償素子の姿勢調整を行なうことができる。
【００１０】
（適用例４）上記の補償素子調整機構であって、支持部は、第２フレームまたは支持ホルダを摩擦力で係止することにより、支持ホルダに対する第２フレームの回動による変位量の微調整を許容することが好ましい。この場合、光学補償素子の姿勢を摩擦力に抗して微調整した状態で摩擦力により固定（支持）することができる。
【００１１】
（適用例５）上記の補償素子調整機構であって、支持部は、第２フレームに第１支持部と、支持ホルダに第２支持部と、を有し、第１支持部と第２支持部とにより、第２フレームを支持ホルダに支持すると共に、第２フレームの回動に従動して摺動することが好ましい。この場合、支持ホルダに支持される第２フレームを安定して回動することや固定することができる。従って、光学補償素子の取付姿勢の調整および固定が安定して行なえる。
【００１２】
（適用例６）上記の補償素子調整機構であって、第１支持部は、第２支持部を挟持して支持するバネ部を有していることが好ましい。この場合、簡易な機構で第２フレームの変位制限または固定が可能になる。
【００１３】
（適用例７）上記の補償素子調整機構であって、第１フレームは、第２フレームに対して回動させる第１操作部を有していることが好ましい。この場合、この第１操作部を利用して光学補償素子を支持する第１フレームを第２フレームに対して回動させることで、光学補償素子の姿勢調整を簡易に行なうことが可能になる。
【００１４】
（適用例８）上記の補償素子調整機構であって、第２フレームは、支持ホルダに対して回動させる第２操作部を有していることが好ましい。この場合、この第２操作部を利用して第１フレームを支持する第２フレームを支持ホルダに対して回動させることで、光学補償素子の姿勢調整を簡易に行なうことが可能になる。
【００１５】
（適用例９）上記の補償素子調整機構であって、固定部は、第１フレームまたは第２フレームを摩擦力で係止することにより、第２フレームに対する第１フレームの回動による変位量の微調整を許容することが好ましい。この場合、光学補償素子の姿勢を摩擦力に抗して微調整した状態で摩擦力により固定することができる。
【００１６】
（適用例１０）上記の補償素子調整機構であって、固定部は、第１フレームに第１固定部と、第２フレームに第２固定部と、を有し、第１固定部と第２固定部との弾性的な係止により、第２フレームに対する第１フレームの変位を制限することが好ましい。この場合、第１固定部の介在により光学補償素子の取付姿勢の簡易な固定が可能になる。
【００１７】
（適用例１１）上記の補償素子調整機構であって、第１固定部または第２固定部は、弾性的な係止を行なうバネ部を有していることが好ましい。この場合、簡易な機構で第１フレームの変位制限または固定が可能になる。
【００１８】
（適用例１２）本適用例に係るプロジェクタは、（ａ）上述の補償素子調整機構と、（ｂ）発光により光束を射出する光源装置と、（ｃ）光源装置から射出された光束を画像情報に応じて変調して光学像を形成する液晶パネルを有する光変調装置と、（ｄ）光変調装置で形成された光学像を投写する投写光学装置と、を備えていることを特徴とする。
【００１９】
上記プロジェクタでは、光源装置の発光により光束が射出され、液晶パネルを有する光変調装置とにより、光源装置から射出された光束を画像情報に応じて変調して光学像を形成する。そして、投写光学装置により、光変調装置で形成された光学像を投写する。この際、上述のような簡単な構造の補償素子調整機構を用いているため、光学補償素子を簡易な構造で精密に配置することができ、投写される光学像（カラー画像など）のコントラストを容易に高めることができる。
【発明を実施するための最良の形態】
【００２０】
以下、実施形態を図面に基づいて説明する。
【００２１】
図１は、本実施形態に係るプロジェクタの光学系の構造を示す図である。図１を用いて、プロジェクタ１００の光学系の構成および動作を説明する。
【００２２】
本実施形態のプロジェクタ１００は、発光により光束を射出する光源装置２１と、光源装置２１から射出された光束を複数の部分光束に分割し、液晶パネル２５ａ，２５ｂ，２５ｃ上に重畳して結像させる照明光学装置２２と、光源装置２１から射出された光束を赤緑青の３色光に分離する色分離光学系２３と、色分離光学系２３から射出された各色光により照明され、画像情報に応じて変調して光学像を形成する光変調部２５とを備える。また、プロジェクタ１００は、光変調部２５により形成された各色光の光学像を合成するクロスダイクロイックプリズム２７と、クロスダイクロイックプリズム２７から射出される合成された光学像（カラー画像など）をスクリーン（図示省略）などに投写するための投写光学装置としての投写レンズ２９とを備える。
【００２３】
また、光源装置２１は、光源ランプ２１ａで構成され、本実施形態では、放電式の高圧水銀ランプを用いている。また、照明光学装置２２は、凹レンズ２２ｂと、一対のフライアイレンズ２２ｄ，２２ｅと、偏光変換部材２２ｇと、重畳レンズ２２ｈとを備える。凹レンズ２２ｂは、光源ランプ２１ａからの光束を平行化する役割を有するが、省略することもできる。一対のフライアイレンズ２２ｄ，２２ｅは、マトリクス状に配置された複数の要素レンズからなり、これらの要素レンズにより凹レンズ２２ｂを経た光源ランプ２１ａからの光束を部分光束に分割して個別に集光・発散させる。
【００２４】
また、偏光変換部材２２ｇは、フライアイレンズ２２ｅから射出した光束を例えば図１の紙面に垂直なＳ偏光成分のみに変換して次段光学系に射出する。重畳レンズ２２ｈは、偏光変換部材２２ｇを経た光束を全体として適宜収束（結像）させることにより、光変調部２５に設けた各色光用の光変調装置に対する重畳照明を可能にする。従って、両フライアイレンズ２２ｄ，２２ｅと重畳レンズ２２ｈとを経た光束は、以下に詳述する色分離光学系２３を経て、光変調部２５に設けられた各色光用の液晶パネル２５ａ，２５ｂ，２５ｃを均一に重畳照明する。
【００２５】
色分離光学系２３は、第１ダイクロイックミラー２３ａと、第２ダイクロイックミラー２３ｂと、補正光学系である３つのフィールドレンズ２３ｆ，２３ｇ，２３ｈと、反射ミラー２３ｊ，２３ｍ，２３ｎ，２３ｏとを備えて構成される。ここで、光源装置２１からの略白色の光束は、重畳レンズ２２ｈを経て、反射ミラー２３ｊで光路を折り曲げられて第１ダイクロイックミラー２３ａに入射する。そして、第１ダイクロイックミラー２３ａは、赤緑青の３色光のうち例えば赤色光および緑色光を反射し青色光を透過させる。また、第２ダイクロイックミラー２３ｂは、入射した赤色光および緑色光のうち例えば緑色光を反射し赤色光を透過させる。
【００２６】
第１ダイクロイックミラー２３ａを通過した青色光は、例えばＳ偏光のまま、反射ミラー２３ｍを経てフィールドレンズ２３ｆに入射する。また、第１ダイクロイックミラー２３ａで反射されて第２ダイクロイックミラー２３ｂで更に反射された緑色光は、例えばＳ偏光のままフィールドレンズ２３ｇに入射する。更に、第２ダイクロイックミラー２３ｂを通過した赤色光は、例えばＳ偏光のまま、第１レンズＬＬ１、第２レンズＬＬ２、および反射ミラー２３ｎ，２３ｏを経て、入射角度を調節するためのフィールドレンズ２３ｈに入射する。第１レンズＬＬ１、第２レンズＬＬ２、およびフィールドレンズ２３ｈは、リレー光学系を構成している。このリレー光学系は、第１レンズＬＬ１の像を、第２レンズＬＬ２を介して略そのままフィールドレンズ２３ｈに伝達する機能を備えている。
【００２７】
光変調部２５は、３つの液晶パネル２５ａ，２５ｂ，２５ｃと、各液晶パネル２５ａ，２５ｂ，２５ｃを挟むように配置される３組の偏光板２５ｅ，２５ｆ，２５ｇとを備える。ここで、第１光路ＯＰ１に配置された青色光用の液晶パネル２５ａと、これを挟む一対の偏光板２５ｅ，２５ｅとは、輝度変調後の光学像のうち青色光を画像情報に基づいて２次元的に輝度変調するための青色光用の液晶ライトバルブを構成する。
【００２８】
このうち、液晶パネル２５ａは、例えば垂直配向型の動作を行なう液晶セルを備えるが、ＴＮ型の動作を行なう液晶セルを含むものとすることもできる。液晶パネル２５ａは、一対の基板間に液晶層を挟んだ一般的な構造を有し、入射側すなわち表の基板側に配向膜、透明共通電極層、ブラックマトリクス等を備え、射出側すなわち裏の基板側に配向膜、透明画素電極、回路層等を備える。青色光用の液晶ライトバルブは、コントラスト向上用の光学補償素子１０を、例えば射出側の偏光板２５ｅと液晶パネル２５ａとの間に組み込んでいる。
【００２９】
同様に、第２光路ＯＰ２に配置された緑色光用の液晶パネル２５ｂと、対応する偏光板２５ｆ，２５ｆも、緑色光用の液晶ライトバルブを構成し、第３光路ＯＰ３に配置された赤色光用の液晶パネル２５ｃと、偏光板２５ｇ，２５ｇも、赤色光用の液晶ライトバルブを構成する。そして、これら緑色光および赤色光用の液晶ライトバルブも、コントラスト向上用の光学補償素子１０を、例えば射出側の偏光板２５ｆ，２５ｇと液晶パネル２５ｂ，２５ｃとの間に組み込んでいる。
【００３０】
青色光用の液晶パネル２５ａには、色分離光学系２３の第１ダイクロイックミラー２３ａを透過することにより分岐された青色光が、フィールドレンズ２３ｆを介して入射する。緑色光用の液晶パネル２５ｂには、色分離光学系２３の第２ダイクロイックミラー２３ｂで反射されることにより分岐された緑色光が、フィールドレンズ２３ｇを介して入射する。赤色光用の液晶パネル２５ｃは、第２ダイクロイックミラー２３ｂを透過することにより分岐された赤色光が、フィールドレンズ２３ｈを介して入射する。
【００３１】
各液晶パネル２５ａ〜２５ｃは、入射した各色光の空間的強度分布を変調する非発光型の光変調装置であり、各液晶パネル２５ａ〜２５ｃにそれぞれ入射した３色の色光は、各液晶パネル２５ａ〜２５ｃに電気的信号として入力された駆動信号或いは画像信号に応じて変調される。その際、偏光板２５ｅ，２５ｆ，２５ｇにより、各液晶パネル２５ａ〜２５ｃに入射する各色光の偏光方向が調整されると共に、各液晶パネル２５ａ〜２５ｃから射出される変調光から所定の偏光方向の成分光が光学像として取り出される。更に、光学補償素子１０により、液晶パネル２５ａ〜２５ｃによる位相変調が適正になるように調整が行なわれ、これらの光学的補償が可能になる。
【００３２】
クロスダイクロイックプリズム２７は、光合成部材であり、４つの直角プリズムを貼り合わせた平面視略正方形状をなし、直角プリズム同士を貼り合わせた界面には、Ｘ字状に交差する一対の誘電体多層膜２７ａ，２７ｂが形成されている。一方の誘電体多層膜２７ａは青色光を反射し、他方の誘電体多層膜２７ｂは赤色光を反射する。
【００３３】
このクロスダイクロイックプリズム２７は、液晶パネル２５ａからの青色光を誘電体多層膜２７ａで反射して進行方向右側に射出させ、液晶パネル２５ｂからの緑色光を２つの誘電体多層膜２７ａ，２７ｂを介して直進・射出させ、液晶パネル２５ｃからの赤色光を誘電体多層膜２７ｂで反射して進行方向左側に射出させる。
【００３４】
投写レンズ２９は、クロスダイクロイックプリズム２７で合成されたカラーの光学像を、所望の倍率で、プロジェクタ１００の外部に設置されるスクリーン（図示省略）上に投写する。つまり、各液晶パネル２５ａ〜２５ｃに入力された駆動信号或いは画像信号に対応する所望の倍率のカラー動画やカラー静止画が、スクリーン上に投写される。
【００３５】
以上のプロジェクタ１００において、光変調部２５に組み込まれた光学補償素子１０は、上述したように、例えば液晶パネル２５ａ〜２５ｃにより正確に調整できなかった位相変調量を微調整する目的で使用される。このような光学補償素子１０を液晶ライトバルブ内の適所に配置することで、光変調部２５による光変調のコントラストを高めることができ、高品位の画像の投写が可能になる。この際、光学補償素子１０の厚みや光軸に対する回動状態や傾斜状態は、液晶パネル２５ａ〜２５ｃにより与えられる複屈折位相差に対して必要な調整量に対応するものとなっている。このような厚みや回動量や傾斜量は、個々の液晶パネル２５ａ〜２５ｃ毎に設定することが望ましい。
【００３６】
図２は、プロジェクタの一部を構成する光学ユニットの構造を示す斜視図である。図２を用いて、光学ユニット３０の構成および動作を説明する。
【００３７】
光学ユニット３０は、クロスダイクロイックプリズム２７と、液晶パネル２５ａ，２５ｂ，２５ｃと、射出フィルタユニット１２５ａ，１２５ｂ，１２５ｃとを備えている。クロスダイクロイックプリズム２７の３つの入射側面には、３つの射出フィルタユニット１２５ａ，１２５ｂ，１２５ｃがそれぞれアライメントされて貼り付けられており、更に、射出フィルタユニット１２５ａ，１２５ｂ，１２５ｃに対向して液晶パネル２５ａ，２５ｂ，２５ｃがそれぞれアライメントされた状態で固定されている。つまり、液晶パネル２５ａ，２５ｂ，２５ｃの射出側に、射出フィルタユニット１２５ａ，１２５ｂ，１２５ｃが配置されている。
【００３８】
各射出フィルタユニット１２５ａ，１２５ｂ，１２５ｃは、図１に示す射出側の偏光板２５ｅ，２５ｆ，２５ｇと、これに対向して配置される各色光用の光学補償素子１０とをそれぞれ内蔵しており、光学補償素子１０の回動および傾斜姿勢を個別に調整するための補償素子調整機構として機能する。なお、各液晶パネル２５ａ，２５ｂ，２５ｃからは、フラット型の配線ケーブルＣＡがそれぞれ延びている。
【００３９】
図３は、補償素子調整機構を有する射出フィルタユニットと液晶パネルとの構成を示す図であり、図３（ａ）は、平面図であり、図３（ｂ）は、透視した正面図である。図４は、図３における射出フィルタユニットの構造を示す図であり、図４（ａ）は、透視した正面図であり、図４（ｂ）は、右側面図である。図５は、射出フィルタユニットの斜視図であり、図５（ａ）は、調整前の状態を示す斜視図であり、図５（ｂ）は、調整後の状態を示す斜視図である。図６は、射出フィルタユニットなどの分解斜視図である。図７は、第２フレームの構造を示す図であり、図７（ａ）は、正面図であり、図７（ｂ）は、右側面図である。
【００４０】
また、図３は、詳細には、光学ユニット３０のうち、緑色光用の液晶パネル２５ｂおよび緑色光用の補償素子調整機構を有する射出フィルタユニット１２５ｂの構造を示している。そして、補償素子調整機構により、光学補償素子１０を光軸ＯＡのまわりに回動させ、また、光軸ＯＡと略垂直となる回転軸ＲＡに対しても回動させた状態を示している。また、図４は、詳細には、図３と同様の状態を示し、液晶パネル２５ｂを除いた補償素子調整機構を有する射出フィルタユニット１２５ｂの状態を示している。図５（ａ）は、射出フィルタユニット１２５ｂの光学補償素子１０の調整前の状態を示している。また、図５（ｂ）は、図３に示す光学補償素子１０の調整後の状態での射出フィルタユニット１２５ｂを示している。図３〜図７を用いて、射出フィルタユニット１２５ｂの構成および動作に関して説明する。
【００４１】
図３、図６などに示すように、液晶パネル２５ｂは、ビス５１により射出フィルタユニット１２５ｂに固定されている。射出フィルタユニット１２５ｂは、補償素子調整機構を有しており、補償素子調整機構は、光学補償素子１０および偏光板２５ｆの他に、第１フレーム３１と、第２フレーム３２と、支持ホルダ３３と、支持部材としての第３フレーム３７とを備えている。
【００４２】
図６に示すように、第１フレーム３１は、金属材料（板金）の加工により形成されたものであり、略矩形板状をなし、光学補償素子１０を支持する本体部３１ａを有している。そして、本体部３１ａは、中央で略矩形状に開口される開口部Ｗ１を有し、この開口部Ｗ１を塞ぐように液晶パネル２５ｂ側の面に光学補償素子１０が貼り付けられている。また、第１フレーム３１は、液晶パネル２５ｂの画角に対して傾斜した一対の対角位置に設けられ外側に向かって延びる一対の軸部材３１ｂ，３１ｃと、上部中央から上方に延びるレバー部材３１ｅとを有している。
【００４３】
第１フレーム３１の本体部３１ａから延びる一対の軸部材３１ｂ，３１ｃは、細長い板状の部材として後述する第２フレーム３２に支持されており、図５で示すように、本体部３１ａが光軸ＯＡに対して垂直で画角に対して傾いた回転軸ＲＡのまわりに回動することを許容している。つまり、第１フレーム３１すなわち光学補償素子１０は、液晶パネル２５ｂに対して一定範囲内で任意の角度だけ傾斜させることができるようになっている。レバー部材３１ｅの先端に設けられたノブ３１ｈは、図５（ａ）に矢印Ａで示す方向（回転軸ＲＡのまわり）に移動して第１フレーム３１の傾斜角度を微調整する際に利用される。また、レバー部材３１ｅの根元部分３１ｊは、固定部としての第１固定部を構成している。
【００４４】
なお、光学補償素子１０は、ガラスまたはプラスチックなどのポリマー製の透明板上に、接着剤などにより、複屈折性を有する無機若しくは有機材料からなる板状部材、またはこれらを複合した板状部材、ＷＶ（Wide View）フィルムなどを取り付けたものである。光学補償素子１０は、液晶パネル２５ｂに封入されている液晶材料やその配向特性に応じて、その光学軸を、光軸ＯＡに平行な方向や光軸ＯＡに垂直な方向に配置することができる。そして、光学補償素子１０の光学軸を光軸ＯＡに平行な方向とする場合、その方位を光軸ＯＡに対して適切な角度に設定することができる。更に、光学補償素子１０の光学軸を光軸ＯＡに垂直な方向とする場合、その方位を回転軸ＲＡに対して適切な角度に設定することができる。なお、光学補償素子１０の材料としては、サファイア、水晶、ＴＡＣ（トリアセチルセルロース）などの各種材料を用いることができる。
【００４５】
図６、図７に示すように、第２フレーム３２は、金属材料（板金）の加工により形成されたものであり、略矩形板状をなす本体部３２ａを有している。本体部３２ａの中央には、略矩形状に開口される開口部Ｗ２を有している。また、第２フレーム３２は、本体部３２ａの左右の端部を略垂直に正面側（液晶パネル２５ｂ方向）に折り曲げて形成された側壁部３２ｅ，３２ｆを有している。
【００４６】
また、本体部３２ａの上側には、正面側に折り曲げて形成された一対の突起部３２ｂを有している。この一対の突起部３２ｂは、固定部としての第２固定部を構成している。また、本体部３２ａの上側には、一対の突起部３２ｂの左右側で、背面側に折り返して形成される一対のバネ部３２ｃを有している。この一対のバネ部３２ｃは、支持部としての第１支持部を構成している。また、本体部３２ａの開口部Ｗ２の上方には、背面側に半球面形状に突出して形成される一対の突起部３２ｄを有している。この一対の突起部３２ｄは、係合部としての第１係合部を構成している。
【００４７】
両側壁部３２ｅ，３２ｆには、下側に挿入孔５３ａ，５３ｂが形成され、上側端部にスリット状の溝である支持溝５３ｃ，５３ｄが形成されており、挿入孔５３ａ，５３ｂの下端には、スリット状の溝である支持溝５４ｃ，５４ｄが更に形成されている。
【００４８】
ここで、光学補償素子１０を支持する第１フレーム３１を第２フレーム３２に取り付けた場合、第２フレーム３２の一方の側壁部３２ｅの支持溝５３ｃには、図３〜図６などに示すように、第１フレーム３１の正面左上に形成された軸部材３１ｂが所定の緩みをもって嵌合し、他方の側壁部３２ｆの挿入孔５３ｂに設けた支持溝５４ｄには、第１フレーム３１の正面右下に形成された軸部材３１ｃが同様の緩みをもって嵌合する。
【００４９】
この際、軸部材３１ｂの端部に形成された鉤部６１ａと、軸部材３１ｃの端部に形成された鉤部６１ｂとが協働して、光学補償素子１０の主面に平行な横方向に関して第１フレーム３１の動きを制限するので、第２フレーム３２内での第１フレーム３１のガタツキが低減される。つまり、第１フレーム３１が第２フレーム３２内で回転軸ＲＡのまわりに滑らかに回動可能になる。
【００５０】
第２フレーム３２の突起部３２ｂ，３２ｂは、弾性的な係止を行なうバネ部として機能しており、突起部３２ｂ，３２ｂの下面ＵＳ，ＵＳと、第１フレーム３１のレバー部材３１ｅに設けた根元部分３１ｊの上端ＴＥ，ＴＥとは、弾性的に当接している。具体的には、突起部３２ｂ，３２ｂの下面ＵＳ，ＵＳが、根元部分３１ｊの上端ＴＥ，ＴＥに弾性的に当接して下方に付勢する。これにより、根元部分３１ｊすなわち第１フレーム３１の変位が摩擦力により制限され、結果的に、第１フレーム３１の回転軸ＲＡのまわりの回動が制限される。
【００５１】
ここで、第１フレーム３１のレバー部材３１ｅは第１固定部を構成し、また、第２フレーム３２の突起部３２ｂは第２固定部を構成しており、第２フレーム３２に対する第１フレーム３１の回動を制限する固定部として機能している。言い換えれば、この固定部は、一対の軸部材３１ｂ，３１ｃの回動による変位を第１固定部と第２固定部による弾性的な当接により制限している。
【００５２】
このとき、レバー部材３１ｅの両側は、レールの役割を果たす一対の突起部３２ｂ，３２ｂに挟まれている。これにより、第１フレーム３１の姿勢が突起部３２ｂ，３２ｂなどに案内され、安定的に保持されると共に、第１フレーム３１や光学補償素子１０の姿勢の微調整が可能になる。詳細には、図５（ａ）に示すように、レバー部材３１ｅのノブ３１ｈを前後方向（矢印Ａで示す方向）に移動することにより、レバー部材３１ｅの根元部分３１ｊが突起部３２ｂ，３２ｂの下面ＵＳ，ＵＳ上を摩擦力に抗して摺動する。例えば図５（ａ）に示すように、液晶パネル２５ｂに対して平行な状態から、例えば図５（ｂ）に示すように、液晶パネル２５ｂに対して傾斜した状態に変化させて、そのような傾斜状態で固定することができる。なお、図５（ｂ）に示す図は、光軸ＯＡに対しても回動している。
【００５３】
なお、図３〜図５に示すように、光学補償素子１０の調整後、根元部分３１ｊや突起部３２ｂ，３２ｂ間に接着剤を供給して固定すれば、第１フレーム３１を確実に第２フレーム３２に固定でき、液晶パネル２５ｂと光学補償素子１０との光軸ＯＡに略垂直な回転軸ＲＡに対する配置関係を恒久的に固定することができる。
【００５４】
支持ホルダ３３は、図５、図６などに示すように、一方の側に液晶パネル２５ｂに接合するための第１接合部３３ａを有し、他方の側に偏光板２５ｆを取り付けるための第２接合部３３ｂ，３３ｃを有し、第１接合部３３ａと第２接合部３３ｂ，３３ｃとの間に、これらを連結する一対の側壁部３３ｅ，３３ｆを設けている。
【００５５】
支持ホルダ３３は、金属材料（板金）の加工により形成されたものであり、接合部（第１接合部３３ａと第２接合部３３ｂ，３３ｃ）と側壁部３３ｅ，３３ｆとが折り曲げにより立体的に形成されており、第１接合部３３ａと第２接合部３３ｂ，３３ｃとの間に前述の第１フレーム３１を支持した状態の第２フレーム３２を収容するための隙間状の空間ＳＰ（図３（ａ）、図５、図６を参照）が形成されている。第１接合部３３ａは、中央で略矩形状に開口される開口部Ｗ３を有し、第１フレーム３１に支持される光学補償素子１０と、液晶パネル２５ｂとが対面するようになっている。
【００５６】
図３（ａ）、図６などに示すように、第１フレーム３１および第２フレーム３２を挟んで第１接合部３３ａの反対側となる第２接合部３３ｂ，３３ｃには、外側つまり液晶パネル２５ｂの反対側から偏光板２５ｆが貼り付けられて固定されている。図６などに示すように、第２接合部３３ｂ，３３ｃには、複数の取付孔６２ａが適所に形成されており、後述する第３フレーム３７の取り付けおよび固定が可能になっている。
【００５７】
また、第２接合部３３ｂ，３３ｃの上側には、回動中心と略同心状に形成される凹部としての切り欠き部３３ｇ，３３ｈがそれぞれ形成されている。なお、回動中心は、本実施形態では光軸ＯＡと略一致するように設定している。なお、切り欠き部３３ｇ，３３ｈは、係合部としての第２係合部を構成している。
【００５８】
ここで、第１フレーム３１を支持した状態の第２フレーム３２を支持ホルダ３３に取り付ける場合の手順を説明する。
最初に、支持ホルダ３３の上方から隙間状の空間ＳＰに挿入する。挿入する際には、第２フレーム３２の一対のバネ部３２ｃ，３２ｃを、第２接合部３３ｂ，３３ｃの両面を挟持するように第２接合部３３ｂ，３３ｃの上端部から挿入する。そして、挿入を継続し、第２フレーム３２の突起部３２ｄ，３２ｄを支持ホルダ３３の切り欠き部３３ｇ，３３ｈに係合させることで、取り付けが完了する。
【００５９】
第１フレーム３１を支持した状態で、支持ホルダ３３に取り付けた第２フレーム３２は、支持ホルダ３３に対して回動自在となる。詳細には、第２フレーム３２の突起部３２ｄ，３２ｄが支持ホルダ３３の切り欠き部３３ｇ，３３ｈに係合しながら切り欠き部３３ｇ，３３ｈに沿って摺動することにより回動自在となる。なお、切り欠き部３３ｇ，３３ｈは、上述したように回動中心（光軸ＯＡ）と略同心状に形成されているため、第２フレーム３２は光軸ＯＡのまわりに回動自在となる。
【００６０】
なお、バネ部３２ｃ，３２ｃは、第２操作部として構成されており、支持ホルダ３３に対する第２フレーム３２（光学補償素子１０）の回動角度を微調整する際に利用される。そして、微調整は、バネ部３２ｃ，３２ｃを左右方向（図５（ａ）の矢印Ｂで示す方向）に移動させることにより、第２フレーム３２を支持ホルダ３３に対して回動させることで行なう。
【００６１】
この際、第１支持部としての一対のバネ部３２ｃ，３２ｃは、それぞれ第２支持部としての第２接合部３３ｂ，３３ｃを挟持した状態で、第２フレーム３２の回動に従動し、第２接合部３３ｂ，３３ｃの面上を摩擦力に抗して摺動する。このように、支持部（第１支持部、第２支持部）は、支持ホルダ３３を摩擦力で支持することにより、支持ホルダ３３に対する第２フレーム３２の摩擦力に抗する回動による光学補償素子１０の変位量の微調整を許容している。また、回動による調整後は、第２フレーム３２を支持ホルダ３３に固定できるように支持部の摩擦力が設定されている。
【００６２】
なお、図３〜図５に示すように、光学補償素子１０の調整後、バネ部３２ｃ，３２ｃや第２接合部３３ｂ，３３ｃ間に接着剤を供給して固定すれば、第２フレーム３２を支持ホルダ３３に確実に固定でき、液晶パネル２５ｂと光学補償素子１０との配置関係を恒久的に固定することができる。
【００６３】
第３フレーム３７は、支持ホルダ３３と、偏光板２５ｆの射出側に配設される光学部材としてのクロスダイクロイックプリズム２７と、を支持して固定する支持部材として構成されている。第３フレーム３７は、金属材料（板金）の加工により形成されたものであり、略矩形板状である本体部３７ａと、本体部３７ａの四隅に設けられ液晶パネル２５ｂ側に延びる爪部材３７ｂとを有している。また、本体部３７ａは、中央で略矩形状に開口される開口部Ｗ４を有し、偏光板２５ｆと図２に示すクロスダイクロイックプリズム２７とが対面するようになっている。
【００６４】
この第３フレーム３７は、支持ホルダ３３の射出側に固定され、偏光板２５ｆとクロスダイクロイックプリズム２７とを必要量だけ離間させた状態に保ちつつ、射出フィルタユニット１２５ｂなどをクロスダイクロイックプリズム２７に固定する。また、第３フレーム３７は、液晶パネル２５ｂを固定した射出フィルタユニット１２５ｂの位置を、爪部材３７ｂと複数の取付孔６２ａの固定位置とを調整することにより正確に位置決めすることができる。
【００６５】
なお、光学補償素子１０の取付姿勢の調整の手順に関し、本実施形態では、光学ユニット３０（図２参照）の形態において、最初に、支持ホルダ３３に対してバネ部３２ｃを左右方向に操作して第２フレーム３２を回動することで、光軸ＯＡのまわりに光学補償素子１０を回動させて取付姿勢を調整する。次に、第１フレーム３１のノブ３１ｈを前後方向に操作して第１フレーム３１を回動することで、回転軸ＲＡのまわりに光学補償素子１０を回動させて取付姿勢の調整を行なっている。なお、この取付姿勢の調整の手順は、逆でもよい。
【００６６】
以上は、緑色光用の液晶パネル２５ｂおよび射出フィルタユニット１２５ｂの構造の説明であったが、他の青色光および赤色光用の液晶パネル２５ａ，２５ｃに付随する各色光の射出フィルタユニット１２５ａ，１２５ｃも上述した射出フィルタユニット１２５ｂと同様の構造を有しており、詳細な説明は省略する。
【００６７】
図８は、２種類の液晶パネルに対応させた射出フィルタユニットおよび第１フレームを示す図であり、図８（ａ）、（ｂ）は、２種類の液晶パネルおよび射出フィルタユニットを示す正面図であり、図８（ｃ）、（ｄ）は、（ａ）、（ｂ）にそれぞれ対応する２種類の第１フレームを示す正面図である。図８を用いて、２種類の液晶パネル（２５ｂと、２５ａ，２５ｃ）、２種類の液晶パネルに対応させた射出フィルタユニット（１２５ｂと、１２５ａ，１２５ｃ）、および第１フレーム３１に関して説明する。
【００６８】
本実施形態では、緑色光用の液晶パネル２５ｂと、青色光および赤色光用の液晶パネル２５ａ，２５ｃとは、プレチルト角が逆方向のものを用いている。これは、クロスダイクロイックプリズム２７を透過または反射させる際に、左右の反転を補償して視野角特性を一致させるためである。このため、光学補償素子１０の光学軸や傾斜も、緑色光用の液晶パネル２５ｂに付随するものと青色光および赤色光用の液晶パネル２５ａ，２５ｃに付随するものとでは左右反転させる必要がある。
【００６９】
詳細には、図８（ａ）は、緑色光用の液晶パネル２５ｂと射出フィルタユニット１２５ｂとを示している。また、図８（ｃ）に示すのは、この射出フィルタユニット１２５ｂに組み込まれる第１フレーム３１を示している。一方、図８（ｂ）は、青色光および赤色光用の液晶パネル２５ａ，２５ｃと射出フィルタユニット１２５ａ，１２５ｃとを示している。また、図８（ｄ）に示すのは、この射出フィルタユニット１２５ａ，１２５ｃに組み込まれる第１フレーム３１を示している。
【００７０】
図からも明らかなように、図８（ｃ）の第１フレーム３１と、図８（ｄ）の第１フレーム３１とは、左右反転した対称な形状を有している。つまり、図８（ｄ）の第１フレーム３１の場合、軸部材３１ｂが本体部３１ａから正面右上に延び、軸部材３１ｃが本体部３１ａから正面左下に延び、レバー部材３１ｅが上部中央から上方に延びる。結果的に、図８（ｃ）の第１フレーム３１は、紙面に沿って左上がりに傾いた回転軸ＲＡのまわりに回動可能になっており、図８（ｄ）の第１フレーム３１は、紙面に沿って右上がりに傾いた回転軸ＲＡ’のまわりに回動可能になっている。
【００７１】
なお、以上の射出フィルタユニット１２５ａ，１２５ｂ，１２５ｃにおいて、第２フレーム３２、支持ホルダ３３、および第３フレーム３７は、共通の部品とすることができ、コストダウンを図っている。また、レバー部材３１ｅの左右の突起部は左右で長さが異なっており、射出フィルタユニット１２５ａ，１２５ｂ，１２５ｃの組立後も、レバー部材３１ｅを目視確認することで、簡単に光学補償素子１０の傾斜方向を確認することができる。
【００７２】
上述した実施形態によれば以下の効果が得られる。
（１）本実施形態の補償素子調整機構によると、光学補償素子１０を支持する第１フレーム３１が、光学補償素子１０の周囲において対向する位置に設けられている一対の軸部材３１ｂ，３１ｃを有し、第２フレーム３２が、一対の軸部材３１ｂ，３１ｃを回動自在に支持することで、液晶パネル２５ｂに対して第１フレーム３１すなわち光学補償素子１０の取付姿勢を調整することができる。従って、光軸ＯＡに直交する回転軸ＲＡのまわりに回動させる場合の光学補償素子１０の取付姿勢を調整することができる。この際、固定部（第１固定部としての第１フレーム３１に形成される根元部分３１ｊの上端ＴＥ、第２固定部としての第２フレーム３２に形成する突起部３２ｂ）が、第２フレーム３２に対する一対の軸部材３１ｂ，３１ｃの回動による変位を弾性的な当接により制限するため、光学補償素子１０の姿勢を第１フレーム３１と共に所望な量だけ変化させてそのまま保持することができる。よって、光学補償素子１０の取付姿勢の精密な調整と調整後の簡易な固定とが可能になる。
また、係合部（第１係合部としての第２フレーム３２に形成される突起部３２ｄ、第２係合部としての支持ホルダ３３に形成する切り欠き部３３ｇ，３３ｈ）により、第２フレーム３２を支持ホルダ３３と係合して第２フレーム３２を回動自在にすることで、液晶パネル２５ｂに対して第２フレーム３２すなわち光学補償素子１０の取付姿勢を調整することができる。従って、光軸ＯＡのまわりに回動させる場合の光学補償素子１０の取付姿勢を調整することができる。この際、支持部（第１支持部としての第２フレーム３２に形成されるバネ部３２ｃ、第２支持部としての第２接合部３３ｂ，３３ｃ）が、第２フレーム３２を支持ホルダ３３に支持すると共に、第２フレーム３２の回動による変位を弾性的な当接により制限するため、光学補償素子１０の姿勢を第２フレーム３２と共に所望な量だけ変化させてそのまま保持することができる。よって、光学補償素子１０の取付姿勢の精密な調整と調整後の簡易な固定とが可能になる。
従って、補償素子調整機構は、光軸ＯＡに直交する回転軸ＲＡのまわりに回動させる場合の光学補償素子１０の取付姿勢を調整することができると共に、光軸ＯＡのまわりに回動させる場合の光学補償素子１０の取付姿勢も調整することができ、光学補償素子１０の取付姿勢の精密な調整と調整後の簡易な固定とが可能になる。
【００７３】
（２）本実施形態の補償素子調整機構によると、本実施形態の補償素子調整機構によると、係合部は、第２フレーム３２に第１係合部としての突起部３２ｄと、支持ホルダ３３に第２係合部としての切り欠き部３３ｇ，３３ｈと、を有している。そして、第２係合部としての切り欠き部３３ｇ，３３ｈは、回動中心を光軸ＯＡと略一致させて、光軸ＯＡと略同心状に形成される凹部として形成され、第１係合部としての突起部３２ｄを切り欠き部３３ｇ，３３ｈと係合させて摺動させる。これにより、光学補償素子１０を光軸ＯＡに対して略同心状に回動させて姿勢調整を行なうことができる。
【００７４】
（３）本実施形態の補償素子調整機構によると、第１支持部としての第２フレーム３２に形成されるバネ部３２ｃは、支持ホルダ３３に形成される第２支持部としての第２接合部３３ｂ，３３ｃを摩擦力で係止することにより、支持ホルダ３３に対する第２フレーム３２の回動による変位量の微調整を許容する。従って、光学補償素子１０の姿勢を摩擦力に抗して微調整した状態で摩擦力により固定（支持）することができる。
【００７５】
（４）本実施形態の補償素子調整機構によると、支持部は、第２フレーム３２に第１支持部としてのバネ部３２ｃと、支持ホルダ３３に第２支持部としての第２接合部３３ｂ，３３ｃと、を有し、第２フレーム３２を支持ホルダ３３に支持すると共に、第２フレーム３２の回動に従動して摺動する。従って、支持ホルダ３３に支持される第２フレーム３２を安定して回動することや固定することができ、光学補償素子１０の取付姿勢の調整および固定が安定して行なえる。
【００７６】
（５）本実施形態の補償素子調整機構によると、第１支持部としてのバネ部３２ｃは、第２支持部としての第２接合部３３ｂ，３３ｃを挟持して支持するため、簡易な機構で第２フレーム３２の変位制限または固定が可能になる。
【００７７】
（６）本実施形態の補償素子調整機構によると、第１フレーム３１は、第２フレーム３２に対して回動させる第１操作部としてのレバー部材３１ｅを有しているため、このレバー部材３１ｅを利用して光学補償素子１０を支持する第１フレーム３１を第２フレーム３２に対して回動させることで、光学補償素子１０の姿勢調整を簡易に行なうことが可能になる。
【００７８】
（７）本実施形態の補償素子調整機構によると、第２フレーム３２は、支持ホルダ３３に対して回動させる第２操作部としてのバネ部３２ｃを有しているため、このバネ部３２ｃを利用して第１フレーム３１を支持する第２フレーム３２を支持ホルダ３３に対して回動させることで、光学補償素子１０の姿勢調整を簡易に行なうことが可能になる。
【００７９】
（８）本実施形態の補償素子調整機構によると、第２固定部としての第２フレーム３２に形成する突起部３２ｂが、第１固定部としての第１フレーム３１に形成される根元部分３１ｊの上端ＴＥを摩擦力で係止することにより、第２フレーム３２に対する第１フレーム３１の回動による変位量の微調整を許容する。これにより、光学補償素子１０の姿勢を摩擦力に抗して微調整した状態で摩擦力により固定することができる。
【００８０】
（９）本実施形態の補償素子調整機構によると、第２固定部としての第２フレーム３２に形成する突起部３２ｂが、第１固定部としての第１フレーム３１に形成される根元部分３１ｊの上端ＴＥを弾性的な係止により、第２フレーム３２に対する第１フレーム３１の変位を制限する。これにより、光学補償素子１０の取付姿勢の簡易な固定が可能になる。
【００８１】
（１０）本実施形態の補償素子調整機構によると、第２固定部としての第２フレーム３２に形成する突起部３２ｂは、板金バネとして形成されているため、簡易な機構で第１フレーム３１の変位制限または固定が可能になる。
【００８２】
（１１）本実施形態の補償素子調整機構によると、一対の軸部材３１ｂ，３１ｃは、液晶パネル２５ｂの画面の縦方向および横方向に対して傾いた方向に配置されている。従って、光学補償素子１０を画角に対して傾斜した軸（光軸ＯＡに直交する回転軸ＲＡ）のまわりに回動・傾斜させることができる。
【００８３】
（１２）本実施形態の補償素子調整機構によると、一対の軸部材３１ｂ，３１ｃは、第２フレーム３２に形成されたスリット状の溝（支持溝５３ｃ，５４ｄ）にそれぞれ支持される細長い板状の部材であるため、第１フレーム３１の滑らかな姿勢調整、すなわち光学補償素子１０の滑らかな姿勢調整が可能になる。
【００８４】
（１３）本実施形態の補償素子調整機構によると、支持ホルダ３３は、一方に液晶パネル２５ｂに接合するための第１接合部３３ａを有し、他方に偏光板２５ｆを取り付けるための第２接合部３３ｂ，３３ｃを有すると共に、第１接合部３３ａおよび第２接合部３３ｂ，３３ｃの間に第１フレーム３１および第２フレーム３２を収容する隙間状の空間ＳＰを有する。このような支持ホルダ３３により、隙間状の空間ＳＰに第１フレーム３１および第２フレーム３２を収容し、併せて液晶パネル２５ｂや偏光板２５ｆを一体的に固定でき、これらの間で光学補償素子１０の姿勢を調節することができる。
【００８５】
（１４）本実施形態の補償素子調整機構によると、液晶パネル２５ｂの射出側に偏光板２５ｆが配設され、支持ホルダ３３と、偏光板２５ｆの射出側に配設されるクロスダイクロイックプリズム２７と、を支持して固定する第３フレーム３７を有している。これにより、第３フレーム３７を介し、射出フィルタユニット１２５ｂの固定位置を調整してクロスダイクロイックプリズム２７に固定することができる。
【００８６】
（１５）本実施形態のプロジェクタ１００によると、光源装置２１（光源ランプ２１ａ）の発光により光束が射出され、液晶パネル２５ｂを有する光変調装置とにより、光源装置２１から射出された光束を画像情報に応じて変調して光学像を形成する。そして、投写光学装置（投写レンズ２９）により、光変調装置で形成された光学像を投写する。この際、本実施形態の簡単な構造の補償素子調整機構を用いているため、光学補償素子１０を簡易な構造で精密に配置することができ、投写される光学像（カラー画像など）のコントラストを容易に高めることができる。
【００８７】
なお、上述した実施形態に限定されず、種々の変更や改良などを加えて実施することが可能である。変形例を以下に述べる。
【００８８】
（変形例１）前記実施形態では、係合部は、第２フレーム３２に第１係合部としての突起部３２ｄと、支持ホルダ３３に第２係合部としての凹部（切り欠き部３３ｇ，３３ｈ）と、を有している。しかし、これに限られず、係合部は、第２フレーム３２に第１係合部として凹部を有し、支持ホルダ３３に第２係合部として突起部を有することでもよい。
【００８９】
（変形例２）前記実施形態では、第１支持部としての第２フレーム３２に形成されるバネ部３２ｃは、支持ホルダ３３に形成される第２支持部としての第２接合部３３ｂ，３３ｃを摩擦力で係止することにより、支持ホルダ３３に対する第２フレーム３２の回動による変位量の微調整を許容している。しかし、これに限られず、支持ホルダ３３に第２支持部としてバネ部など形成して第２フレーム３２を摩擦力で係止することにより、支持ホルダ３３に対する第２フレーム３２の回動による変位量の微調整を許容してもよい。
【００９０】
（変形例３）本実施形態では、第２操作部として第２フレーム３２のバネ部３２ｃを用いている。しかし、これに限られず、第２操作部は、第２フレーム３２の突起部３２ｂとしてもよく、その場合、第１操作部としてのレバー部材３１ｅを光軸ＯＡに対して左右方向に回動することにより、レバー部材３１ｅを挟んでいる突起部３２ｂが従動して左右方向に回動して、光学補償素子１０を光軸ＯＡのまわりに回動させてもよい。
【００９１】
（変形例４）前記実施形態では、一対の軸部材３１ｂ，３１ｃは、細長い板状の部材であるが、これに限られず、棒状の部材であってもよい。
【００９２】
（変形例５）前記実施形態では、光変調装置に３つの液晶パネル２５ａ，２５ｂ，２５ｃを用いたプロジェクタ１００を説明したが、これに限られない。例えば、１つの液晶パネルのみを用いたプロジェクタ、２つの液晶パネルを用いたプロジェクタ、あるいは、４つ以上の液晶パネルを用いたプロジェクタにも適用可能である。
【００９３】
（変形例６）前記実施形態では、コントラスト向上用の光学補償素子１０を、例えば射出側の偏光板２５ｅ，２５ｆ，２５ｇと液晶パネル２５ａ，２５ｂ，２５ｃとの間に組み込んでいるが、光学補償素子１０を入射側の偏光板２５ｅ，２５ｆ，２５ｇと液晶パネル２５ａ，２５ｂ，２５ｃとの間に組み込むこともできる。この場合、各液晶パネル２５ａ，２５ｂ，２５ｃの入射側に、図２などに示す射出フィルタユニット１２５ａ，１２５ｂ，１２５ｃと同様の構造の入射フィルタユニットを設けることでもよい。
【００９４】
（変形例７）前記実施形態では、第１フレーム３１を回転させる回転軸ＲＡを、液晶パネル２５ａ，２５ｂ，２５ｃの画面の縦方向及び横方向に対して略４５度傾いた方向に配置している。しかし、これに限られず、回転軸ＲＡの角度は光軸ＯＡに垂直な面内で任意に設定することができる。
【００９５】
（変形例８）前記実施形態では、透過型の液晶パネル２５ａ，２５ｂ，２５ｃを用いているが、反射型の液晶パネルなど、反射型の光変調装置を用いることも可能である。この場合、反射型の液晶パネルの片側にのみ単一の偏光板が配置されるので、例えば反射型の各液晶パネルと単一の偏光板との間に光学補償素子１０を配置するタイプの射出フィルタユニットを反射型の各液晶パネルの正面側に配置することができる。
【００９６】
（変形例９）前記実施形態では、光源装置２１を構成する光源ランプ２１ａに放電式ランプを用いているが、これに限られず、光源装置として、ＬＥＤ（Light Emitting Diode）素子やＬＤ（Laser Diode）素子などを用いることができる。
【００９７】
（変形例１０）前記実施形態のプロジェクタ１００は、フロントタイプのプロジェクタとして適用しているが、投写対象面としてのスクリーンを一体で有するリアタイプのプロジェクタにも適用できる。
【図面の簡単な説明】
【００９８】
【図１】本実施形態に係るプロジェクタの光学系の構造を示す図。
【図２】プロジェクタの一部を構成する光学ユニットの構造を示す斜視図。
【図３】補償素子調整機構を有する射出フィルタユニットと液晶パネルとの構成を示す図であり、（ａ）は平面図であり、（ｂ）は透視した正面図。
【図４】図３における射出フィルタユニットの構造を示す図であり、（ａ）は透視した正面図であり、（ｂ）は右側面図。
【図５】射出フィルタユニットの斜視図であり、（ａ）は調整前の状態を示す斜視図であり、（ｂ）は調整後の状態を示す斜視図。
【図６】射出フィルタユニットなどの分解斜視図。
【図７】第２フレームの構造を示す図であり、（ａ）は正面図であり、（ｂ）は右側面図。
【図８】２種類の液晶パネルに対応させた射出フィルタユニットおよび第１フレームを示す図であり、（ａ）、（ｂ）は２種類の液晶パネルおよび射出フィルタユニットを示す正面図であり、（ｃ）、（ｄ）は（ａ）、（ｂ）にそれぞれ対応する２種類の第１フレームを示す正面図。
【符号の説明】
【００９９】
１０…光学補償素子、２５ａ，２５ｂ，２５ｃ…液晶パネル、２５ｅ，２５ｆ，２５ｇ…偏光板、３０…光学ユニット、３１…第１フレーム、３１ａ…本体部、３１ｂ，３１ｃ…軸部材、３１ｅ…レバー部材、３１ｈ…ノブ、３１ｊ…根元部分、３２…第２フレーム、３２ａ…本体部、３２ｂ…突起部、３２ｃ…バネ部、３２ｄ…突起部、３３…支持ホルダ、３３ａ…第１接合部、３３ｂ，３３ｃ…第２接合部、３３ｇ，３３ｈ…切り欠き部、３７…第３フレーム、５３ｃ，５４ｄ…支持溝、１００…プロジェクタ、１２５ａ，１２５ｂ，１２５ｃ…射出フィルタユニット、ＯＡ…光軸、ＲＡ…回転軸、ＳＰ…空間、Ｗ１，Ｗ２，Ｗ３，Ｗ４…開口部。
【図１】
2009169046.tif 000003
【図２】
2009169046.tif 000004
【図３】
2009169046.tif 000005
【図４】
2009169046.tif 000006
【図５】
2009169046.tif 000007
【図６】
2009169046.tif 000008
【図７】
2009169046.tif 000009
【図８】
2009169046.tif 000010